(57)【要約】【課題】ガンマカーブを容易に変更するとともに製造コストを低減するようにした有機電界発光表示装置及びその駆動方法を提供する。【解決手段】データ線と走査線の交差部に位置される画素と、i(iは自然数)ビットの第１データの入力を受けて所望のガンマ値が具現されるようにj(jはiと同一または大きい自然数)ビット第２データを生成するデータ変更部と、l(lはiより大きい自然数)ビットに対応する階調電圧を生成するためのガンマ電圧部と、前記第２データに対応して前記階調電圧の中でいずれか一つをデータ信号に選択し、前記データ線に供給するデータ駆動部と、を備える。【選択図】図１
2011164565.tif 000002
【特許請求の範囲】
【請求項１】
データ線と走査線の交差部に位置される画素と、
i(iは自然数)ビットの第１データの入力を受けて所望のガンマ値が具現されるようにj(jはiと同一または大きい自然数)ビットの第２データを生成するデータ変更部と、
l(lはiより大きい自然数)ビットに対応する階調電圧を生成するためのガンマ電圧部と、
前記第２データに対応して前記階調電圧の中でいずれか一つをデータ信号に選択し、前記データ線に供給するデータ駆動部と、を備えることを特徴とする有機電界発光表示装置。
【請求項２】
前記データ変更部は、
前記iビットの第１データをlビットに拡張して拡張データを生成するビット拡張部と、
線形的階調を表現するために、前記拡張データのビットを制御するディザリング部と、
所望のガンマ値に対応するlビットのガンマデータが格納される一つ以上のルックアップテーブルと、
前記ディザリング部から出力される拡張データに対応するガンマデータを抽出し、抽出されたガンマデータを前記第２データとして出力する制御部と、を備えることを特徴とする請求項１に記載の有機電界発光表示装置。
【請求項３】
前記ビット拡張部は、
前記第１データの下位２ビットに“００”を加えて前記拡張データを生成することを特徴とする請求項２に記載の有機電界発光表示装置。
【請求項４】
前記ディザリング部は、
前記下位２ビットに加えられた“００”値を任意に“００”、“０１”、“１０”、及び“１１”の値の中でいずれか一つに変更させることを特徴とする請求項３に記載の有機電界発光表示装置。
【請求項５】
前記ルックアップテーブルは、
赤色画素に供給される赤色ガンマデータが格納される第１ルックアップテーブルと、
緑色画素に供給される緑色ガンマデータが格納される第２ルックアップテーブルと、
青色画素に供給される青色ガンマデータが格納される第３ルックアップテーブルと、を備えることを特徴とする請求項２に記載の有機電界発光表示装置。
【請求項６】
前記データ変更部は、
前記制御部から供給される前記lビットのガンマデータをiビットのデータに変更するためのビット縮小部と、
前記iビットのデータのエラーを補償し、エラー補償されたiビットデータを前記第２データとして出力するエラー補償部と、をさらに備えることを特徴とする請求項２に記載の有機電界発光表示装置。
【請求項７】
前記ビット縮小部は、
ガンマデータの下位２ビットを除去して前記iビットのデータを生成することを特徴とする請求項６に記載の有機電界発光表示装置。
【請求項８】
前記エラー補償部は、
前記iビットのデータに一定の数を加算したり、減算したりすることを特徴とする請求項６に記載の有機電界発光表示装置。
【請求項９】
前記ガンマ電圧部は、
lビットに対応する前記階調電圧が生成されるように複数の抵抗を備える抵抗部と、
複数の基準電圧を生成し、生成された基準電圧を前記抵抗の間の一部ノードに供給するための電圧供給部と、を備えることを特徴とする請求項１に記載の有機電界発光表示装置。
【請求項１０】
l(lは自然数)ビットに対応する階調電圧を生成する段階と、
外部から入力されるi(iはlより小さい自然数)ビットの第１データを利用して所望のガンマ値が具現されるようにj(jはiと同一または大きい自然数)ビットの第２データを生成する段階と、
前記第２データに対応して前記階調電圧の中でいずれか一つをデータ信号に選択する段階と、
前記データ信号を画素に供給して所定輝度の光を生成する段階と、を含むことを特徴とする有機電界発光表示装置の駆動方法。
【請求項１１】
前記第２データを生成する段階は、
前記第１データに下位ビットを加えてlビットの拡張データを生成する段階と、
前記加えられた下位ビットのビット値を任意に変更する段階と、
前記下位ビットのビット値が変更された拡張データを利用してルックアップテーブルに格納された複数のlビットのガンマデータの中でいずれか一つのガンマデータを抽出する段階と、
前記抽出されたガンマデータを前記第２データとして出力する段階と、を含むことを特徴とする請求項１０に記載の有機電界発光表示装置の駆動方法。
【請求項１２】
前記第１データの下位２ビットに“００”が加えられて前記拡張データが生成されることを特徴とする請求項１１に記載の有機電界発光表示装置の駆動方法。
【請求項１３】
前記下位ビットのビット値を任意に変更する段階では、前記下位２ビットに加えられた“００”の値を任意に“００”、“０１”、“１０”、及び“１１”の値の中でいずれか一つに変更させることを特徴とする請求項１２に記載の有機電界発光表示装置の駆動方法。
【請求項１４】
前記第２データを生成する段階は、
前記抽出されたガンマデータをiビットのデータに変更する段階と、前記iビットデータのエラーを補償する段階と、
前記エラーが補償された前記iビットのデータを前記第２データとして出力する段階と、をさらに含むことを特徴とする請求項１１に記載の有機電界発光表示装置の駆動方法。
【請求項１５】
前記ガンマデータをiビットのデータに変更する段階では、
前記ガンマデータの下位２ビットを除去することを特徴とする請求項１４に記載の有機電界発光表示装置の駆動方法。
【請求項１６】
前記エラーを補償する段階では、
前記iビットのデータに一定の数を加算したり、減算したりすることを特徴とする請求項１４に記載の有機電界発光表示装置の駆動方法。
【発明の詳細な説明】
【技術分野】
【０００１】
本発明は、有機電界発光表示装置及びその駆動方法に関し、特に、ガンマカーブを容易に変更するとともに製造コストを低減するようにした有機電界発光表示装置及びその駆動方法に関する。
【背景技術】
【０００２】
近年、陰極線管の短所である重さと体積を減らすことができる各種平板表示装置等が開発されている。平板表示装置としては、液晶表示装置、電界放出表示装置、プラズマ表示パネル、及び有機電界発光表示装置などがある。
【０００３】
平板表示装置の中で有機電界発光表示装置は、電子と正孔の再結合によって光を発生する有機発光ダイオードを利用して映像を表示する装置で、早い応答速度を持つとともに低い消費電力によって駆動されるという長所がある。
【０００４】
有機電界発光表示装置は、データ線及び走査線の交差部に位置される画素と、データ線にデータ信号を供給するためのデータ駆動部と、走査線に走査信号を供給するための走査駆動部とを備える。
【０００５】
データ駆動部は、データのビットに対応してガンマ電圧部から出力される複数の階調電圧の中でいずれか一つの電圧をデータ信号に選択する。
【０００６】
走査駆動部は、走査線に走査信号を順次供給する。画素は走査線に走査信号が供給される時に選択されて、データ線からデータ信号の供給を受けて、供給を受けたデータ信号に対応する電流を有機発光ダイオードに供給しながら所定の映像を表示する。
【０００７】
このような従来の有機電界発光表示装置においてガンマ電圧部は、赤色ガンマ電圧部、緑色ガンマ電圧部、及び青色ガンマ電圧部を備える。赤色ガンマ電圧部は、複数の抵抗で形成される赤色抵抗部と、赤色抵抗部に電圧を供給するための赤色電圧供給部を備える。
【０００８】
赤色抵抗部は、複数の抵抗が直列接続されて形成される。赤色電圧供給部は、複数の抵抗の一部ノード点に所定の電圧を供給する。実際に、赤色電圧供給部は赤色抵抗部から所望するガンマカーブに対応する階調電圧が生成されうるように電圧を供給する。同様に、緑色ガンマ電圧部及び青色ガンマ電圧部それぞれも抵抗部及び電圧供給部を備え、ガンマカーブに対応する階調電圧を生成する。
【０００９】
しかしながら、従来のような有機電界発光表示装置では、ガンマカーブを容易に調節することができないという問題が生じる。実際に、従来の装置では、ガンマカーブを調節するために抵抗部、及び電圧供給部の設計自体を変更しなければならなかった。また、従来の装置には、三つの抵抗部及び三つの電圧供給部が含まれるため、製造コストが上昇するという問題があった。
【発明の概要】
【発明が解決しようとする課題】
【００１０】
したがって、本発明は、前記問題を鑑みてなされたものであって、その目的は、ガンマカーブを容易に変更するとともに製造コストを低減するようにした有機電界発光表示装置及びその駆動方法を提供することである。
【課題を解決するための手段】
【００１１】
上記目的を達成するために本発明の実施例による有機電界発光表示装置は、データ線と走査線の交差部に位置される画素と、i(iは自然数)ビットの第１データの入力を受けて所望のガンマ値が具現されるようにj(jはiと同一または大きい自然数)ビットの第２データを生成するデータ変更部と、l(lはiより大きい自然数)ビットに対応する階調電圧を生成するためのガンマ電圧部と、前記第２データに対応して前記階調電圧の中でいずれか一つをデータ信号に選択し、前記データ線に供給するデータ駆動部と、を備える。
【００１２】
望ましくは、前記データ変更部は、前記iビットの第１データをlビットに拡張して拡張データを生成するビット拡張部と、線形的階調を表現するために前記拡張データのビットを制御するディザリング部と、所望のガンマ値に対応するlビットのガンマデータが格納される一つ以上のルックアップテーブルと、前記ディザリング部から出力される拡張データに対応するガンマデータを抽出し、抽出されたガンマデータを前記第２データとして出力する制御部とを備える。
【００１３】
前記データ変更部は、前記制御部から供給される前記lビットのガンマデータをiビットのデータに変更するためのビット縮小部と、前記iビットのデータのエラーを補償し、エラー補償されたiビットのデータを前記第２データとして出力するエラー補償部とをさらに備える。
【００１４】
前記ガンマ電圧部は、lビットに対応する前記階調電圧が生成されるように複数の抵抗を備える抵抗部と、複数の基準電圧を生成し、生成された基準電圧を前記抵抗の間の一部ノードに供給するための電圧供給部とを備える。
【００１５】
本発明の実施例による有機電界発光表示装置の駆動方法は、l(lは自然数)ビットに対応する階調電圧を生成する段階と、外部から入力されるi(iはlより小さい自然数)ビットの第１データを利用して所望のガンマ値が具現されるようにj(jはiと同一または大きい自然数)ビットの第２データを生成する段階と、前記第２データ対応して前記階調電圧の中でいずれか一つをデータ信号に選択する段階と、前記データ信号を画素に供給して所定輝度の光を生成する段階とを含む。
【００１６】
望ましくは、前記第２データを生成する段階では、前記第１データに下位ビットを加えてlビットの拡張データを生成する段階と、前記加えられた下位ビットのビット値を任意に変更する段階と、前記下位ビットのビット値が変更された拡張データを利用して、ルックアップテーブルに格納された複数のlビットのガンマデータの中でいずれか一つのガンマデータを抽出する段階と、前記抽出されたガンマデータを前記第２データとして出力する段階とを含む。
【００１７】
前記第２データを生成する段階では、前記抽出されたガンマデータをiビットのデータに変更する段階と、前記iビットデータのエラーを補償する段階と、前記エラーが補償された前記iビットのデータを前記第２データとして出力する段階とをさらに含む。
【発明の効果】
【００１８】
以上のように、本発明の有機電界発光表示装置及びその駆動方法によれば、一つのガンマ電圧部及び抵抗部のみを含むので、製造コストを低減することができるという効果がある。また、本発明では第２データを利用してガンマを具現するため、すなわち、ルックアップテーブルを更新することで多様な形態のガンマに適用可能であるという長所がある。
【図面の簡単な説明】
【００１９】
【図１】本発明の実施例による有機電界発光表示装置を示す図面である。
【図２】図１に示されたデータ変更部の第１実施例を示す図面である。
【図３Ａ】図２に示されたディザリング部の機能を説明するための図面である。
【図３Ｂ】図２に示されたディザリング部の機能を説明するための図面である。
【図４】図２に示されたガンマ電圧部の実施例を示す図面である。
【図５】図１に示されたデータ変更部の第２実施例を示す図面である。
【発明を実施するための形態】
【００２０】
以下、本発明の属する技術分野における通常の知識を有する者が本発明を容易に実施することができる好ましい実施例について添付された図１乃至図５を参照して詳しく説明する。
【００２１】
図１は、本発明の実施例による有機電界発光表示装置を示す図面である。図１において、説明の便宜性のためにデータ変更部１６０がタイミング制御部１５０の外部に設けられるように示されている。しかし、本発明はこれに限定されるのではない。例えば、データ変更部１６０は、タイミング制御部１５０の内部に設けることもできる。
【００２２】
図１を参照すれば、本発明の実施例による有機電界発光表示装置は、走査線Ｓ１乃至Ｓｎ、及びデータ線Ｄ１乃至Ｄｍの交差部に位置される画素１４０を含む画素部１３０と、走査線Ｓ１乃至Ｓｎを駆動するための走査駆動部１１０と、データ線Ｄ１乃至Ｄｍを駆動するためのデータ駆動部１２０と、走査駆動部１１０及びデータ駆動部１２０を制御するためのタイミング制御部１５０と、外部から供給される第１データdata１を利用して第２データdata２を生成するためのデータ変更部１６０と、階調電圧を生成するためのガンマ電圧部１２２とを備える。
【００２３】
走査駆動部１１０は、タイミング制御部１５０の制御によって走査信号を生成し、生成された走査信号を走査線Ｓ１乃至Ｓｎに順次供給する。
【００２４】
データ駆動部１２０は、タイミング制御部１５０から第２データdata２の供給を受ける。それぞれのチャンネルごとに第２データdata２の供給を受けたデータ駆動部１２０は、第２データdata２に対応してガンマ電圧部１２２から生成される階調電圧の中でいずれか一つの電圧を選択し、選択された電圧を該チャンネルのデータ信号としてデータ線（Ｄ１乃至Ｄｍのうちいずれか一つ）に供給する。
【００２５】
データ変更部１６０は、外部からi(iは自然数)ビットの第１データdata１の入力を受ける。iビットの第１データdata１の入力を受けたデータ変更部１６０は、iビットの第１データdata１を利用してj(jはiと同一または大きい自然数)ビットの第２データdata２を生成する。ここで、第２データdata２は、あらかじめ設定されたガンマ(例えば、２.２ガンマ)に対応するように生成される。
【００２６】
ガンマ電圧部１２２は、複数の階調電圧を生成する。ここで、ガンマ電圧部１２２は、l(lはiより大きい自然数)ビットに対応して複数の階調電圧を生成する。例えば、第１データdata１のビットが８ビット(すなわち、i=８)に設定される場合、ガンマ電圧部１２２は１０ビット(すなわち、l=１０)に対応する階調電圧（２１０）を生成することができる。
【００２７】
タイミング制御部１５０は、走査駆動部１１０、及びデータ駆動部１２０を制御する。また、タイミング制御部１５０は、第２データdata２を再整列してデータ駆動部１２０に伝達する。
【００２８】
画素部１３０は、第１電源ＥＬＶＤＤ及び第２電源ＥＬＶＳＳの供給を受けてそれぞれの画素１４０に供給する。第１電源ＥＬＶＤＤ及び第２電源ＥＬＶＳＳの供給を受けた画素１４０それぞれは、データ信号に対応する光を生成する。
【００２９】
簡略に説明すると、画素１４０それぞれは、有機発光ダイオード、一つ以上のキャパシタ、一つ以上のトランジスタを備える。走査信号が供給される時、画素１４０は水平ライン単位で順次選択されながらデータ信号の供給を受ける。画素１４０に供給されたデータ信号はキャパシタに格納されて維持される。
【００３０】
以後、画素１４０それぞれに含まれた駆動トランジスタは、キャパシタに格納されたデータ信号に対応して第１電源ＥＬＶＤＤから有機発光ダイオードを経由して第２電源ＥＬＶＳＳへ流れる電流量を制御する。この時、有機発光ダイオードは、電流量に対応して所定輝度の光を生成する。
【００３１】
図２は、図１に示されたデータ変更部の第１実施例を示す図面である。図２を参照すれば、本発明の実施例によるデータ変更部１６０は、ビット拡張部１６１、ディザリング部１６２、制御部１６４、及びルックアップテーブル(１６６、１６８、１７０)を備える。
【００３２】
ビット拡張部１６１は、iビットの第１データdata１を利用してlビットの拡張データを生成する。例えば、ビット拡張部１６１は、iビットの第１データdata１に２を掛けてlビットの拡張データを生成することができる。この場合、ビット拡張部１６１は、iビットの第１データdata１に“００”の下位ビットを加えてlビットの拡張データを生成する。
【００３３】
より詳しく説明すると、“０００００００１”の第１データdata１が入力される場合、ビット拡張部１６１は“００”の下位ビットを加えて“０００００００１００”の拡張データを生成する。同様に、“１１１１１１１１”の第１データdata１が入力される場合、ビット拡張部１６１は“１１１１１１１１００”の拡張データを生成する。
【００３４】
ディザリング部１６２は、線形的な階調を表現できるように拡張データの下位２ビット値を任意に変更する。詳しく説明すると、拡張データの下位２ビットが“００”に固定される場合、図３Ａに示されたように拡張データは、階段形態でその値が増加するようになる。
【００３５】
したがって、拡張データを利用してガンマデータを選択する場合、階調が非線形的に増加するような問題が発生し得る。これによって、本発明のディザリング部１６２は、拡張データそれぞれの下位２ビット値を“００”、“０１”、“１０”、及び“１１”のビットの中でいずれか一つに任意に変更する。すると、図３Ｂに示されたように拡張データの値は、線形的に増加するようになる。
【００３６】
第１ルックアップテーブル(Look Up Table:ＬＵＴＩ、１６６)には、赤色画素に対応するlビットの赤色ガンマデータが格納される。例えば、第１ルックアップテーブル１６６には、２.２ガンマに対応する赤色ガンマデータが格納されることが可能である。実際に、本発明では第１ルックアップテーブル１６６に格納される赤色ガンマデータを更新することでガンマ値を容易に制御することができる。
【００３７】
第２ルックアップテーブル１６８には、緑色画素に対応するlビットの緑色ガンマデータが格納される。例えば、第２ルックアップテーブル１６８には、２.２ガンマに対応する緑色ガンマデータが格納されることが可能である。実際に、本発明では第２ルックアップテーブル１６８に格納される緑色ガンマデータを更新することでガンマ値を容易に制御することができる。
【００３８】
第３ルックアップテーブル１７０には、青色画素に対応するlビットの青色ガンマデータが格納される。例えば、第３ルックアップテーブル１７０には２.２ガンマに対応する青色ガンマデータが格納されることが可能である。実際に、本発明では第３ルックアップテーブル１７０に格納される青色ガンマデータを更新することでガンマ値を容易に制御することができる。
【００３９】
制御部１６４は、ディザリング部１６２から供給される拡張データに対応して第１ルックアップテーブル１６６ないし第３ルックアップテーブル１７０の中でいずれか一つからガンマデータを抽出する。例えば、制御部１６４は赤色画素に供給される拡張データが供給される場合、第１ルックアップテーブル１６６から拡張データに対応する赤色ガンマデータを抽出し、抽出された赤色ガンマデータを第２データdata２としてタイミング制御部１５０に供給する。
【００４０】
また、制御部１６４は、緑色画素に供給される拡張データが供給される場合、第２ルックアップテーブル１６８から拡張データに対応する緑色ガンマデータを抽出し、抽出された緑色ガンマデータを第２データdata２としてタイミング制御部１５０に供給する。
【００４１】
同様に、制御部１６４は青色画素に供給される拡張データが供給される場合、第３ルックアップテーブル１７０から拡張データに対応する青色ガンマデータを抽出し、抽出された青色ガンマデータを第２データdata２としてタイミング制御部１５０に供給する。
【００４２】
以後、タイミング制御部１５０はデータ変更部１６０から供給される第２データdata２をデータ駆動部１２０に供給する。データ駆動部１２０は、第２データdata２に対応してガンマ電圧部１２２から階調電圧を選択し、選択された階調電圧をデータ信号として画素１４０に供給する。
【００４３】
図４は、図１に示されたガンマ電圧部を示す図面である。図４を参照すれば、ガンマ電圧部１２２は電圧供給部１２４と抵抗部１２６とを備える。
【００４４】
抵抗部１２６は、複数の抵抗Ｒ１乃至Ｒｋが直列に配置されて形成される。ここで、抵抗Ｒ１乃至Ｒｋの間のノードから生成される電圧が階調電圧としてデータ駆動部１２０に供給される。このために、抵抗Ｒ１乃至Ｒｋの数は、lビットに対応する階調電圧が生成されうるように設定される。
【００４５】
電圧供給部１２４は、複数の基準電圧Ｇ１乃至Ｇ９を生成し、生成された基準電圧Ｇ１乃至Ｇ９を抵抗Ｒ１乃至Ｒｋの間の一部ノードに供給する。すなわち、電圧供給部１２４は抵抗部１２６が所望する階調電圧が生成されるように基準電圧Ｇ１乃至Ｇ９を生成し、生成された基準電圧Ｇ１乃至Ｇ９を抵抗Ｒ１乃至Ｒｋの間の一部ノードに供給する。
【００４６】
一方、本発明においてガンマ電圧部１２２は、iビットより大きいlビットに対応する階調電圧を生成する。すなわち、本発明は、iビットの第１データdataを利用して生成される第２データdata２を利用してガンマを具現する。したがって、２iに対応する階調電圧より多い２lに対応する階調電圧を生成してから第２データdata２によって所望のガンマが具現されうる。言い換えれば、本発明では、iビットより大きいlビットに対応する階調電圧を生成し、複数の階調電圧の中で第２データdata２に対応するいずれか一つの階調電圧を選択することで所望のガンマを具現することができる。
【００４７】
図５は、図１に示されたデータ変更部の第２実施例を示す図面である。図５を説明する時、図２と同一の構成に対しては同一の図面符号を付すると同時に詳細な説明は省略する。図５を参照すれば、本発明の第２実施例によるデータ変更部１６０は、ビット縮小部１７２及びエラー補償部１７４をさらに備える。
【００４８】
ビット縮小部１７２は、制御部１６４から供給されるlビットのガンマデータをiビットのデータに変更する。例えば、ビット縮小部１７２は、lビットのガンマデータの下位２ビットを除去してiビットのデータを生成する。
【００４９】
実際に、図２に示されたように、lビットのガンマデータが第２データdata２としてタイミング制御部１５０に供給される場合、lビットに対応して伝送線等が設置されなければならないため、一部の回路が複雑になる恐れがある。したがって、本発明の第２実施例では、ビット縮小部１７２を利用してlビットをiビットに縮小するので、製造コストの上昇を抑制することができる。
【００５０】
エラー補償部１７４は、lビットからiビットに縮小されたデータのエラーを補償する。例えば、エラー補償部１７４は任意に一定の数(例えば、５以下の数)を加えたり引いたりしてデータのエラーを補償することができる。実際に、エラー補償部１７４は、縮小されたデータのエラーを補償するために、現在公知の多様な形態のアルゴリズムを適用できる。
【００５１】
例えば、エラー補償部１７４は、ＦＲＣ(Frame Rate Control)アルゴリズムを利用してデータのエラーを補償することができる。エラー補償部１７４から出力されるiビットのデータは第２データdata２としてタイミング制御部１５０に供給される。
【００５２】
以後、タイミング制御部１５０は、データ変更部１６０から供給される第２データdata２をデータ駆動部１２０に供給する。データ駆動部１２０は、第２データdata２に対応してガンマ電圧部１２２から階調電圧を選択し、選択された階調電圧をデータ信号として画素１４０に供給する。
【００５３】
以上のように、本発明の最も好ましい実施形態について説明したが、本発明は、上記記載に限定されるものではなく、特許請求の範囲、又は明細書に開示された発明の要旨に基づき、当業者により様々な変形や変更を加えることが可能である。もちろん、斯かる変形や変更が、本発明の範囲に含まれることは言うまでもない。
【符号の説明】
【００５４】
１１０  走査駆動部
１２０  データ駆動部
１２２  ガンマ電圧部
１５０  タイミング制御部
１６０  データ変更部
【図１】
2011164565.tif 000003
【図２】
2011164565.tif 000004
【図３Ａ】
2011164565.tif 000005
【図３Ｂ】
2011164565.tif 000006
【図４】
2011164565.tif 000007
【図５】
2011164565.tif 000008